(57)【要約】      （修正有）【課題】刷毛に送り込む口紅の量の微調整を容易に行うことができると共に、刷毛が人の肌に触れて雑菌が付着し、この雑菌が増殖してしまう事態の発生を未然に防止することができる筆型のリップ化粧容器を提供する。【解決手段】液状の口紅が収容されている筆容器と、筆容器の先端に取り付けている刷毛を備え、筆容器の中から適量の口紅を送り出して刷毛に浸透させ、唇に口紅を塗ることを可能にした筆型のリップ化粧容器であって、筆容器内に一対の逆流防止弁を離隔した状態で配置し、両逆流防止弁の間の容積を変化させる構成を備え、この構成により両逆流防止弁の間に存在する適量の口紅を送り出して刷毛に浸透させると共に、両逆流防止弁の間に適量の口紅を吸い込む。【選択図】図５
0003143336.tif 000002
【実用新案登録請求の範囲】
【請求項１】
液状の口紅が収容されている筆容器と、筆容器の先端に取り付けている刷毛を備え、筆容器の中から適量の口紅を送り出して刷毛に浸透させ、唇に口紅を塗ることを可能にした筆型のリップ化粧容器であって、筆容器内に一対の逆流防止弁を離隔した状態で配置し、両逆流防止弁の間の容積を変化させる構成を備え、この構成により両逆流防止弁の間に存在する適量の口紅を送り出して刷毛に浸透させると共に、両逆流防止弁の間に適量の口紅を吸い込むことを特徴とする筆型のリップ化粧容器。
【請求項２】
両逆流防止弁の間の容積を変化させる構成は、両逆流防止弁の間に、側面を押圧できる筒状部分を介在させている請求項1に記載の筆型のリップ化粧容器。
【請求項３】
両逆流防止弁の間の容積を変化させる構成は、一方の逆流防止弁の設置位置を前後に移動させ、両逆流防止弁の離隔距離を変える筒状部分を介在させている請求項1に記載の筆型のリップ化粧容器。
【請求項４】
両逆流防止弁の離隔距離を変える筒状部分は、伸縮部材と、伸縮部材を伸長方向に付勢する発条部材により形成されている請求項３に記載の筆型のリップ化粧容器。
【請求項５】
両逆流防止弁の離隔距離を変える筒状部分は、回転機構を介して進退する逆流防止弁の台座を有する請求項３に記載の筆型のリップ化粧容器。
【請求項６】
刷毛として、抗菌対策を施した化学繊維を使用している請求項１乃至５のいずれかに記載の筆型のリップ化粧容器。
【考案の詳細な説明】
【技術分野】
【０００１】
本考案は、液状の口紅が収容されている筆容器と、筆容器の先端に取り付けている刷毛を備え、筆容器の中から適量の口紅を送り出して刷毛に浸透させ、唇に口紅を塗ることを可能にした筆型のリップ化粧容器に関するものである。
【背景技術】
【０００２】
従来から、この種の筆容器としては、例えば、図１１に示す構成のものがある。この筆容器は、ピストン型の押し出し機構１００により、筆容器１０１の中から液状の口紅Ｐを適量だけ押し出し、先端の刷毛１０２に当該口紅Ｐを浸透させて唇に塗るものである。
【０００３】
このピストン型の押し出し機構１００は、筆容器１０１内の後部に回転式の操作部１０３を設け、該操作部１０３先端面中央には、筆容器１０１の内部空間の長さに対応した長尺な棒ネジ１０５の基端側が固着され、該棒ネジ１０５には圧力弁１０４が螺着されている。この圧力弁１０４自体は、筆容器１０１の中では回転せず、進退スライドのみが行えるように筆容器１０１内壁にガイド状に支持されている。
【０００４】
そして、操作部１０３の回転により棒ネジ１０５に沿って圧力弁１０４を螺進出させ、口紅Ｐを刷毛１０２側に押し出すのである。
【特許文献１】特になし
【考案の開示】
【考案が解決しようとする課題】
【０００５】
しかしながら、図１１に示す構成の筆容器１０１においては、筆容器１０１内の圧力弁１０４を、操作部１０３の回転により棒ネジ１０５に沿って螺進出させていることから、当該操作部１０３の回転量の調整が非常に困難である。
【０００６】
従って、操作部１０３の過剰な回転に伴い、圧力弁１０４による口紅の押し出し量が多過ぎたり、また、操作部１０３の回転不足により圧力弁１０４による口紅の押し出し量が少な過ぎたりして、押し出し量の微調整が困難なものとなっていた。
【０００７】
また、従来においては、刷毛自体に今後厳しい規制の対象となる獣毛を使用しているため、人の肌に触れた際に雑菌が付着し、菌が増殖してしまう虞もある。
【０００８】
そこで、本考案は如上のような従来存した諸事情に鑑み創案されたもので、筆容器内に一対の逆流防止弁を離隔した状態で配置し、両逆流防止弁の間に存在する液状の口紅について、両逆流防止弁の間の容積を変化させて、刷毛に送り込む口紅の量の微調整を容易に行うことができると共に、刷毛が人の肌に触れて雑菌が付着し、この雑菌が増殖してしまう事態の発生を未然に防止することができる筆型のリップ化粧容器を提供することを目的とする。
【課題を解決するための手段】
【０００９】
本考案は、液状の口紅が収容されている筆容器と、筆容器の先端に取り付けている刷毛を備え、筆容器の中から適量の口紅を送り出して刷毛に浸透させ、唇に口紅を塗ることを可能にした筆型のリップ化粧容器であって、筆容器内に一対の逆流防止弁を離隔した状態で配置し、両逆流防止弁の間の容積を変化させる構成を備え、この構成により両逆流防止弁の間に存在する適量の口紅を送り出して刷毛に浸透させると共に、両逆流防止弁の間に適量の口紅を吸い込むことで、上述した課題を解決した。
【００１０】
また、両逆流防止弁の間の容積を変化させる構成は、両逆流防止弁の間に、側面を摘んで押圧できる筒状部分を介在させていることで、同じく上述した課題を解決した。
【００１１】
さらに、両逆流防止弁の間の容積を変化させる構成は、一方の逆流防止弁の設置位置を前後に移動させ、両逆流防止弁の離隔距離を変える筒状部分を介在させていることで、同じく上述した課題を解決した。
【００１２】
また、両逆流防止弁の離隔距離を変える筒状部分は、伸縮部材と、伸縮部材を伸長方向に付勢する発条部材により形成されていることで、同じく上述した課題を解決した。
【００１３】
加えて、両逆流防止弁の離隔距離を変える筒状部分は、回転機構を介して進退する逆流防止弁の台座を有することで、同じく上述した課題を解決した。
【００１４】
この他、刷毛として、抗菌対策を施した化学繊維を使用していることで、同じく上述した課題を解決した。
【考案の効果】
【００１５】
本考案は、液状の口紅が収容されている筆容器と、筆容器の先端に取り付けている刷毛を備え、筆容器の中から適量の口紅を送り出して刷毛に浸透させ、唇に口紅を塗ることを可能にした筆型のリップ化粧容器であって、筆容器内に一対の逆流防止弁を離隔した状態で配置し、両逆流防止弁の間の容積を変化させる構成を備え、この構成により両逆流防止弁の間に存在する適量の口紅を送り出して刷毛に浸透させると共に、両逆流防止弁の間に適量の口紅を吸い込むことができる。
【００１６】
また、両逆流防止弁の間の容積を変化させる構成は、両逆流防止弁の間に、側面を押圧できる筒状部分を介在させていることから、この筒状部分を、例えば、親指と人差し指により摘んで、両逆流防止弁の間の容積を一時的に小さくすることができる。
【００１７】
このとき、後側の逆流防止弁は閉止した状態となり、また、刷毛の近傍に存在する前側の逆流防止弁は開放された状態となる。そのため、両逆流防止弁の間に収容されている口紅が、前側の逆流防止弁から送り出されて刷毛に浸透する。
【００１８】
そして、筒状部分から親指と人差し指を離すと、押圧している筒状部分が元の状態に戻り、両逆流防止弁の間の容積も元の状態に復帰する。
【００１９】
このとき、前側の逆流防止弁は閉止した状態となり、また、後側の逆流防止弁は開放された状態となる。そのため、筆容器に収容されている口紅が、後側の逆流防止弁を介して吸い込まれ、両逆流防止弁の間に口紅が収容される。
【００２０】
さらに、両逆流防止弁の間の容積を変化させる構成は、一方の逆流防止弁の設置位置を前後に移動させ、両逆流防止弁の離隔距離を変える筒状部分を介在させていることから、一方の逆流防止弁の移動により、口紅の送り出しと吸い込みを円滑に行うことができる。
【００２１】
具体的には、両逆流防止弁の離隔距離を変える筒状部分は、伸縮部材と、伸縮部材を伸長方向に付勢する発条部材により形成されていることから、伸縮部材を縮める方向に作動させて、両逆流防止弁の間の容積を一時的に小さくすることができる。
【００２２】
このとき、後側の逆流防止弁は閉止した状態となり、また、刷毛の近傍に存在する前側の逆流防止弁は開放された状態となる。そのため、両逆流防止弁の間に収容されている口紅が、前側の逆流防止弁から送り出されて刷毛に浸透する。
【００２３】
そして、筒状部分は、伸縮部材を伸長方向に付勢する発条部材を有することから、筒状部分から手を離すと、縮んでいる伸縮部材が伸びて元の状態に復帰する。
【００２４】
このとき、前側の逆流防止弁は閉止した状態となり、また、後側の逆流防止弁は開放された状態となる。そのため、筆容器に収容されている口紅が、後側の逆流防止弁を介して吸い込まれ、両逆流防止弁の間に口紅が収容される。
【００２５】
この他、両逆流防止弁の離隔距離を変える筒状部分は、回転機構を介して進退する逆流防止弁の台座を有することから、回転機構を回転させるという簡単な操作により、例えば、後側の逆流防止弁を取り付けている台座を前方に移動させて、両逆流防止弁の間に収容されている口紅を、前側の逆流防止弁から送り出して刷毛に浸透させることができる。
【００２６】
また、回転機構を逆回転させたときは、後側の逆流防止弁を元の位置に復帰させ、後側の逆流防止弁を介して、両逆流防止弁の間に口紅が吸い込まれる。
【００２７】
このように、本考案に係るリップ化粧容器は、主として医療の分野において使用されていた血液の逆流防止弁としての機構を化粧用具に応用したものであり、筆容器内に一対の逆流防止弁を離隔した状態で配置し、両逆流防止弁の間に存在する口紅について、両逆流防止弁の間の容積を変化させて、刷毛に送り込む口紅の量の微調整を容易に行うことができる。
【００２８】
また、刷毛への口紅の送り込みと、両逆流防止弁の間への口紅の吸い込みを、ワンタッチで誰もが簡単に行うことができる。
【００２９】
さらに、刷毛として、抗菌対策を施した化学繊維を使用していることから、刷毛が人の肌に触れて雑菌が付着し、この雑菌が増殖してしまう事態の発生を未然に防止することができる。
【考案を実施するための最良の形態】
【００３０】
以下に、本考案を実施するための最良の形態を、図面を参照して説明する。
【００３１】
本考案に係る筆型のリップ化粧容器は、図１（ａ）・（ｂ）に示すように、液状の口紅Ｐが収容されている筆容器１と、筆容器１の先端に取り付けている刷毛２を備え、筆容器１の中から適量の口紅Ｐを送り出して刷毛２に浸透させ、この刷毛２を介して唇に口紅Ｐ塗ることを可能にしたものである。
【００３２】
この筆型のリップ化粧容器は、例えば、円筒状に形成された筆容器１内に、シリコンゴム製等の一対の逆流防止弁３，４を、離隔した状態で配置している。
【００３３】
また、筆容器１は、両逆流防止弁３，４の間の容積を変化させる構成５を備えている。この両逆流防止弁３，４の間の容積を変化させる構成５により、両逆流防止弁３，４の間に存在する適量の口紅Ｐを送り出して刷毛２に浸透させると共に、両逆流防止弁３，４の間に適量の口紅Ｐを吸い込むのである。
【００３４】
図１（ａ）・（ｂ）に示すように、筆容器１は、先端に刷毛２を取り付けている短尺な容器部分１ａと、液状の口紅Ｐを収容している長尺な容器部分１ｂから構成されている。
【００３５】
この短尺な容器部分１ａにおける後側に逆流防止弁３が配置され、長尺な容器部分１ｂにおける前側に逆流防止弁４が配置されている。そして、短尺な容器部分１ａと長尺な容器部分１ｂを接合する部分において、両逆流防止弁３，４の間の容積を変化させる構成５を備えている。
【００３６】
図１（ａ）・（ｂ）に示すように、長尺な容器部分１ｂにおける後端壁面には、通気孔６を設けている。また、長尺な容器部分１ｂの内部空間には、通気孔６の内側の位置から、逆流防止弁４の位置までの間を移動する、閉止蓋７が配されている。この閉止蓋７は、図１・図２に示すように、長尺な容器部分１ｂの内周壁に当接する外周面を有する椀状に形成され、底壁面に係止突起７ａを設けている。
【００３７】
そして、液状の口紅Ｐは、長尺な容器部分１ｂにおいて、逆流防止弁４と閉止蓋７の間に充填されている。この液状の口紅Ｐが未だ使用されずに、長尺な容器部分１ｂ内に多く残っているときは、図１（ａ）に示すように、閉止蓋７は長尺な容器部分１ｂの後端壁面の近傍に位置している。また、液状の口紅Ｐが使用されて減ってきたときは、図１（ｂ）に示すように、閉止蓋７は逆流防止弁４に向けて移動して行く。
【００３８】
短尺な容器部分１ａは、筒状に形成され、肉厚の前端壁面に設けている開口部８に刷毛２を取り付けている。また、短尺な容器部分１ａの内側において、前端壁面に接するようにして、支持枠部材９を嵌合させている。
【００３９】
この支持枠部材９は、図３に示すように、基枠部分９ａと、基枠部分９ａに連設したパイプ部分９ｂにより形成されている。また、支持枠部材９は、基枠部分９ａとパイプ部分９ｂを貫き通すように貫通孔９ｃを有している。
【００４０】
そして、図１（ａ）・図３に示すように、支持枠部材９のパイプ部分９ｂを、刷毛２の基端部側内に配置している。
【００４１】
図４（ａ）に示すように、短尺な容器部分１ａに配置される逆流防止弁３は、環状に形成されている開口縁部３ａの一端側から所定の弁部３ｂが突設されている。弁部３ｂは、基端部が開口縁部３ａに連設した筒状で、先端部に行くに従い開口部分が狭くなっている。この図４（ａ）に示すように、弁部３ｂの先端部は、略線状になっており、常時閉鎖した状態を維持している。
【００４２】
そして、開口縁部３ａ側から弁部３ｂの内側に向けて所定の圧力を加えると、図４（ｂ）に示すように、弁部３ｂの先端部が開放した状態となる。また、その圧力を無くすと、弁部３ｂの先端部は自身の弾性力により元の状態に復帰し、閉鎖した状態となる。
【００４３】
尚、長尺な容器部分１ｂに配置される逆流防止弁４も、逆流防止弁３と同一形状に形成されている。
【００４４】
また、図５（ａ）（ｂ）に示すように、短尺な容器部分１ａに配置される逆流防止弁３は、ケーシング１０内に収容されている。このケーシング１０は、図６に示すように、全体が筒状に形成され、先端開口側が順次窄まった段差状部分１０ａを形成し、逆流防止弁３の弁部３ｂを内装できるようしている。さらに、ケーシング１０の先端開口側と後部開口側との間は、大径の基部１０ｂを形成し、逆流防止弁３の開口縁部３ａを内装できるようしている。
【００４５】
同様に、図５（ａ）（ｂ）に示すように、長尺な容器部分１ｂに配置される逆流防止弁４も、ケーシング１１内に収容されている。このケーシング１１は、図７に示すように、全体が筒状に形成され、先端開口側が順次窄まった段差状部分１１ａを形成し、逆流防止弁４の弁部４ｂを内装できるようしている。さらに、ケーシング１１の先端開口側と後部開口側との間は、大径の基部１１ｂを形成し、逆流防止弁４の開口縁部４ａを内装できるようしている。また、後部開口側には、長尺に突出した筒部分１１ｃを設けている。
【００４６】
図５（ａ）（ｂ）に示すように、逆流防止弁３を収容しているケーシング１０は、ケーシング１０の先端開口を支持枠部材９の貫通孔９ｃに接するようにして、短尺な容器部分１ａに固定されている。このとき、支持枠部材９の開口端部分と、ケーシング１０における基部１０ｂの下面と、段差状部分１０ａの一部が係合している。
【００４７】
図５（ａ）（ｂ）に示すように、逆流防止弁４を収容しているケーシング１１は、長尺な容器部分１ｂにおける開口部に固定されている。このとき、ケーシング１１の基部１１ｂの上面と側面が、長尺な容器部分１ｂにおける開口部の内側に形成された段差部１２と係合している。
【００４８】
そして、筆容器１は、両逆流防止弁３，４の間の容積を変化させる構成５として、両逆流防止弁３，４の間に、側面を摘んで押圧できる筒状部分１３を介在させている。
【００４９】
この筒状部分１３は、弾性部材を用いて形成したもので、両端開口部近傍の外周壁に雄螺子溝１４を設けている。また、図５（ａ）・（ｂ）に示すように、短尺な容器部分１ａの後端側の開口部の内周壁には、雌螺子溝１５を設けている。さらに、図５（ａ）・（ｂ）に示すように、長尺な容器部分１ｂの前端側の開口部の内周壁には、雌螺子溝１６を設けている。
【００５０】
そして、筒状部分１３の一方の雄螺子溝１４を、短尺な容器部分１ａの雌螺子溝１５に螺合させている。このとき、ケーシング１０の基部１０ｂが、支持枠部材９と筒状部分１３により挟持された状態となる。
【００５１】
また、筒状部分１３の他方の雄螺子溝１４を、長尺な容器部分１ｂの雌螺子溝１６に螺合させている。このとき、ケーシング１１の基部１１ｂが、長尺な容器部分１ｂにおける開口部の内側に形成された段差部１２と筒状部分１３により挟持された状態となる。
【００５２】
このようにして、両逆流防止弁３，４の間に、側面を摘んで押圧できる筒状部分１３を介在させているのである。
【００５３】
この他、刷毛２としては、抗菌対策を施した化学繊維を使用している。
【００５４】
次に、以上のように構成された本考案の最良の形態について、使用・動作の一例を説明する。
【００５５】
まず、図５（ａ）に示すように、両逆流防止弁３，４の間に液状の口紅Ｐを収容している状態にして、図５（ｂ）に示すように、例えば、筒状部分１３を、親指と人差し指により摘んで、両逆流防止弁３，４の間の容積を一時的に小さくし、両逆流防止弁３，４の間に所定の圧力を加えた状態にする。
【００５６】
すると、後側の逆流防止弁４は閉止した状態となる。また、刷毛２の近傍に存在する前側の逆流防止弁３は、開口縁部３ａ側から弁部３ｂの内側に向けて所定の圧力が加えられ、開放した状態となる。そのため、両逆流防止弁３，４の間に収容されている口紅Ｐが前側の逆流防止弁３から送り出されて支持枠部材９の貫通孔９ｃに入り込み、パイプ部分９ｂの先端から出て口紅Ｐが刷毛２に浸透する。
【００５７】
そして、図５（ａ）に示すように、筒状部分１３から親指と人差し指を離すと、押圧している筒状部分１３が元の状態に戻り、両逆流防止弁３，４の間の容積も元の状態に復帰して、両逆流防止弁３，４の間が減圧した状態となる。
【００５８】
すると、前側の逆流防止弁３は閉止した状態となる。また、後側の逆流防止弁４は、両逆流防止弁３，４の間が減圧した状態となることから、開口縁部４ａ側から弁部４ｂの内側に向けて口紅Ｐが吸い込まれる作用が生じ、逆流防止弁４が開放した状態となる。そのため、長尺な容器部分１ｂに収容されている口紅Ｐが、後側の逆流防止弁４を介して吸い込まれ、両逆流防止弁３，４の間に口紅Ｐが収容される。この際、図１（ｂ）に示すように、長尺な容器部分１ｂに設けている通気孔６から外気が吸引され、長尺な容器部分１ｂ内において閉止蓋７が逆流防止弁４に向けて移動する。
【００５９】
そして、筒状部分１３における、親指と人差し指による摘み加減により、口紅Ｐの送り出し量の微調整が可能となる。
【００６０】
図８には、本考案に係る筆型のリップ化粧容器の他の構成例が示されている。
【００６１】
尚、上記した構成と略同じ部分には、同じ符号を付すことでその詳細な説明を省略する。
【００６２】
この筆型のリップ化粧容器は、両逆流防止弁３，４の間の容積を変化させる構成５として、一方の逆流防止弁３の設置位置を前後に移動させ、両逆流防止弁３，４の離隔距離を変える筒状部分１３を介在させている。
【００６３】
具体的には、図８（ａ）に示すように、短尺な容器部分１ａの後端側に、短尺な容器部分１ａの輪郭に沿ったスライド延設筒材１７を付設し、このスライド延設筒材１７の開口部において、外向きの係合片１８を設けている。また、長尺な容器部分１ｂの前端側に、長尺な容器部分１ｂの輪郭に沿った延設筒材１９を付設し、この延設筒材１９の開口部において、内向きの係合片２０を設けている。
【００６４】
長尺な容器部分１ｂの延設筒材１９は、短尺な容器部分１ａのスライド延設筒材１７よりも大径に形成されており、延設筒材１９内においてスライド延設筒材１７が移動可能に配置されている。この延設筒材１９とスライド延設筒材１７により、所定の伸縮部材を構成している。
【００６５】
また、長尺な容器部分１ｂにおける延設筒材１９の内向きの係合片２０と、短尺な容器部分１ａにおけるスライド延設筒材１７の外向きの係合片１８が衝突して、スライド延設筒材１７の移動が阻止されている。
【００６６】
さらに、延設筒材１９とスライド延設筒材１７内に、蛇腹状筒部材２１を配置している。この蛇腹状筒部材２１は、短尺な容器部分１ａのケーシング１０と長尺な容器部分１ｂのケーシング１１を連結するように配置され、蛇腹状筒部材２１内に液状の口紅Ｐを収容するものである。また、蛇腹状筒部材２１の外周面には、蛇腹状筒部材２１自身と、スライド延設筒材１７を伸長方向に付勢する、コイルスプリング等の発条部材２２を巻装している。
【００６７】
使用に際しては、図８（ａ）に示すように、両逆流防止弁３，４の間に液状の口紅Ｐを収容している状態において、図８（ｂ）に示すように、短尺な容器部分１ａと長尺な容器部分１ｂを指で掴んで、スライド延設筒材１７を縮める方向に移動させる。このとき、蛇腹状筒部材２１も縮む方向に移動して、両逆流防止弁３，４の間の容積が一時的に小さくなる。
【００６８】
すると、後側の逆流防止弁４は閉止した状態となり、また、刷毛２の近傍に存在する前側の逆流防止弁３は開放した状態となる。そのため、両逆流防止弁３，４の間に収容されている口紅Ｐが前側の逆流防止弁３から送り出されて支持枠部材９の貫通孔９ｃに入り込み、パイプ部分９ｂの先端から出て口紅Ｐが刷毛２に浸透する。
【００６９】
そして、指を離すと、図８（ａ）に示すように、発条部材２２の作用により、スライド延設筒材１７が伸びる方向に移動する。このとき、蛇腹状筒部材２１も伸びる方向に移動して元の状態に戻り、両逆流防止弁３，４の間の容積も元の状態に復帰する。
【００７０】
すると、前側の逆流防止弁３は閉止した状態となり、また、後側の逆流防止弁４は開放した状態となる。そのため、長尺な容器部分１ｂに収容されている口紅Ｐが、後側の逆流防止弁４を介して吸い込まれ、両逆流防止弁３，４の間に口紅Ｐが収容される。
【００７１】
この他、図９・図１０にも、本考案に係る筆型のリップ化粧容器の他の構成例が示されている。
【００７２】
尚、上記した構成と略同じ部分には、同じ符号を付すことでその詳細な説明を省略する。
【００７３】
この筆型のリップ化粧容器においては、図９に示すように、両逆流防止弁３，４の離隔距離を変える筒状部分３０が、回転機構５０を介して進退する逆流防止弁４の台座３１を有している。
【００７４】
長尺な容器部分１ｂは、図９に示すように、後端壁面に通気孔３２を設けている。また、筒状部分３０は、所定の長さを有し、その先端開口部に、取付基材３３を介して刷毛２を固定している。
【００７５】
この筒状部分３０内において、取付基材３３に隣接して、逆流防止弁３を収容しているケーシング１０を配置している。
【００７６】
回転機構５０は、筒状部分３０の後端部分の水平板部３４と、筒状部分３０の後端部分に配置されている接続部材３５と、筒状部分３０内に配置されている台座３１の一部により概ね構成されている。
【００７７】
水平板部３４は、図１０に示すように、筒状部分３０の後端開口部に沿って、所定の幅を有するように設けられている。この水平板部３４の外縁は、筒状部分３０の外周面よりも外側に突出している。また、水平板部３４の内縁は、筒状部分３０の内周面よりも内側に突出している。
【００７８】
この筒状部分３０の水平板部３４に、接続部材３５を回転可能に取り付けている。
【００７９】
この接続部材３５は、長尺な容器部分１ｂの開口部における内周面を嵌合させて、長尺な容器部分１ｂを着脱可能に取り付ける筒部分３６と、この筒部分３６の先端部に設けた支持腕部分３７により形成されている。
【００８０】
支持腕部分３７は、筒状部分３０の後端開口部に設けている水平板部３４を保持するように、略コ字枠状に形成されている。この支持腕部分３７により、筒状部分３０の外周面よりも外側に突出している水平板部３４の外縁における下面と周面と上面を包むように保持しているのである。また、接続部材３５の筒部分３６の内周面には、雌螺子部３８が設けられている。
【００８１】
一方、筒状部分３０内において進退する台座３１は、逆流防止弁４を収容しているケーシング部分３９を有している。このケーシング部分３９は、筒状部分３０内において移動するものである。また、台座３１は、ケーシング部分３９の上端開口部から上方に延設した筒部分４０を有している。この筒部分４０は、筒状部分３０における水平板部３４の内側を通過して、接続部材３５における筒部分３６の内側に到達する長さを有している。
【００８２】
さらに、台座３１は、筒部分４０の外側に、移動筒部分４１を有している。この移動筒部分４１は、筒状部分３０における水平板部３４の内側を通過して、接続部材３５における筒部分３６の内側に到達する長さを有している。また、移動筒部分４１の上方における外周面には、雄螺子部４２が設けられている。この雄螺子部４２は、接続部材３５の筒部分３６における雌螺子部３８に螺合するものである。
【００８３】
台座３１の筒部分４０は、交換可能なカートリッジ容器４４を装着する部分である。
【００８４】
カートリッジ容器４４は、図９に示すように、内部に液状の口紅Ｐを収容しており、その先端開口部が球体４３により封止されている。また、カートリッジ容器４４の後端壁面には、通気孔６０を設けている。さらに、カートリッジ容器４４の内部には、移動可能な閉止蓋７０が配されている。
【００８５】
台座３１の筒部分４０にカートリッジ容器４４を装着したときは、カートリッジ容器４４の先端開口部を封止している球体４３が筒部分４０に押され、カートリッジ容器４４の先端開口部から外れた状態となり、カートリッジ容器４４内の口紅Ｐが台座３１の筒部分４０内に入り込んでいく。
【００８６】
使用に際しては、図１０に示すように、両逆流防止弁３，４の間に液状の口紅Ｐを収容している状態において、例えば、筒状部分３０を左手の親指と人指し指で摘み、接続部材３５の筒部分３６に取り付けている長尺な容器部分１ｂを右手の親指と人指し指で摘む。
【００８７】
次に、右手の親指と人指し指で摘んでいる長尺な容器部分１ｂを、所定方向に３０°乃至４５°回転させると、長尺な容器部分１ｂと一諸に接続部材３５も回転する。
【００８８】
このとき、左手の親指と人指し指で摘んでいる筒状部分３０内に配置されている台座３１は、筒状部分３０内において独自に回転しないように構成されている。例えば、台座３１は、筒状部分３０の内周面において縦方向に設けた所定の長さの突出部に嵌合する縦方向の溝部を有しているのである。
【００８９】
そのため、長尺な容器部分１ｂを所定方向に３０°乃至４５°回転させると、接続部材３５が一諸に回転し、接続部材３５の筒部分３６における雌螺子部３８に螺合している移動筒部分４１の雄螺子部４２を介して、筒状部分３０内に配置されている台座３１が、例えば、前方に進出して、両逆流防止弁３，４の間の容積を一時的に小さくする。
【００９０】
このとき、後側の逆流防止弁４は閉止した状態となり、また、刷毛２の近傍に存在する前側の逆流防止弁３は開放した状態となる。そのため、両逆流防止弁３，４の間に収容されている口紅Ｐが前側の逆流防止弁３から送り出されて支持枠部材９の貫通孔９ｃに入り込み、パイプ部分９ｂの先端から出て口紅Ｐが刷毛２に浸透する。
【００９１】
そして、長尺な容器部分１ｂを逆方向に３０°乃至４５°回転させると、接続部材３５が一諸に回転し、接続部材３５の筒部分３６における雌螺子部３８に螺合している移動筒部分４１の雄螺子部４２を介して、筒状部分３０内に配置されている台座３１が、例えば、後方に退出して、両逆流防止弁３，４の間の容積を元の状態に戻す。
【００９２】
このとき、前側の逆流防止弁３は閉止した状態となり、また、後側の逆流防止弁４は開放された状態となる。そのため、カートリッジ容器４４に収容されている口紅Ｐが、後側の逆流防止弁４を介して吸い込まれ、両逆流防止弁３，４の間に口紅Ｐが収容される。
【００９３】
尚、筒状部分３０の水平板部３４と、この水平板部３４を保持している接続部材３５の支持腕部分３７との間にコイルスプリング等の発条部材を介在させることにより、所定方向に３０°乃至４５°回転させた長尺な容器部分１ｂから指を離したとき、長尺な容器部分１ｂと接続部材３５が自然に逆回転して元の位置に復帰するように構成しても良い。
【００９４】
また、カートリッジ容器４４内の口紅Ｐが無くなった際には、接続部材３５の筒部分３６に取り付けている長尺な容器部分１ｂを外し、カートリッジ容器４４を出現させる。
【００９５】
そして、カートリッジ容器４４を台座３１の筒部分４０から外し、口紅Ｐを収容している未使用のカートリッジ容器４４を台座３１の筒部分４０に装着する。
【００９６】
最後に、接続部材３５の筒部分３６に長尺な容器部分１ｂを再度取り付けるのである。
【００９７】
この他、筆型のリップ化粧容器は、刷毛２に被せるキャップ４５を備えている。
【００９８】
このキャップ４５は、内部にインナーキャップ４６を備えている。このインナーキャップ４６は、刷毛２を固定している取付基材３３の段部４７に合致する係合段部４８を基端部に設けている。この係合段部４８を設けているインナーキャップ４６を取付基材３３に取り付けて、刷毛２の乾燥を防いでいるのである。
【産業上の利用可能性】
【００９９】
本考案に係る筆型のリップ化粧容器は、筆先を大小異なる形状に変更したり、容器自体を異なる形状に成形したりすることで、例えば、アイライナー、リキッドファンデーション、チーク等の種々の化粧品にも転用できる。また、絵画用の筆としても、広く応用可能である。
【図面の簡単な説明】
【０１００】
【図１】両逆流防止弁の間の容積を変化させる構成として、両逆流防止弁の間に、側面を摘んで押圧できる筒状部分を介在させている筆型のリップ化粧容器の構成を示すもので、（ａ）は使用前の縦断面図、（ｂ）は使用中の縦断面図である。
【図２】閉止蓋の構成を示す斜視図である。
【図３】支持枠部材のパイプ部分を、刷毛の基端部側内に配置する状態を示す分解斜視図である。
【図４】逆流防止弁の構成を示し、（ａ）は閉弁状態の斜視図、（ｂ）は開弁状態の斜視図である。
【図５】両逆流防止弁の間の容積を変化させる構成として、両逆流防止弁の間に、側面を摘んで押圧できる筒状部分を介在させている筆型のリップ化粧容器の構成を示すもので、（ａ）は両逆流防止弁の間に圧力を加えていない状態の断面図、（ｂ）は筒状部分を摘んで両逆流防止弁の間に所定の圧力を加えている状態の断面図である。
【図６】前側の逆流防止弁を収容するケーシングの構成を示す斜視図である。
【図７】後側の逆流防止弁を収容するケーシングの構成を示す斜視図である。
【図８】両逆流防止弁の離隔距離を変える筒状部分が、伸縮部材と、伸縮部材を伸長方向に付勢する発条部材により形成されている筆型のリップ化粧容器の構成を示すもので、（ａ）は伸縮部材を伸ばした状態の断面図、（ｂ）は伸縮部材を縮めた状態の断面図である。
【図９】両逆流防止弁の離隔距離を変える筒状部分が、回転機構を介して進退する逆流防止弁の台座を有している筆型のリップ化粧容器の構成を示す断面図である。
【図１０】両逆流防止弁の離隔距離を変える筒状部分が、回転機構を介して進退する逆流防止弁の台座を有している筆型のリップ化粧容器の構成を示す拡大断面図である。
【図１１】従来における筆型のリップ化粧容器の構成を示す一部切欠の断面図である。
【符号の説明】
【０１０１】
Ｐ…口紅
１…筆容器
１ａ…短尺な容器部分
１ｂ…長尺な容器部分
２…刷毛
３…逆流防止弁
４…逆流防止弁
３ａ…開口縁部
３ｂ…弁部
４ａ…開口縁部
４ｂ…弁部
５…両逆流防止弁の間の容積を変化させる構成
６…通気孔
７…閉止蓋
７ａ…係止突起
８…開口部
９…支持枠部材
９ａ…基枠部分
９ｂ…パイプ部分
９ｃ…貫通孔
１０…ケーシング
１１…ケーシング
１０ａ…段差状部分
１１ａ…段差状部分
１０ｂ…基部
１１ｂ…基部
１１ｃ…筒部分
１２…段差部
１３…筒状部分
１４…雄螺子溝
１５…雌螺子溝
１６…雌螺子溝
１７…スライド延設筒材
１８…外向きの係合片
１９…延設筒材
２０…内向きの係合片
２１…蛇腹状筒部材
２２…発条部材
３０…筒状部分
３１…台座
３２…通気孔
３３…取付基材
３４…水平板部
３５…接続部材
３６…筒部分
３７…支持腕部分
３８…雌螺子部
３９…ケーシング部分
４０…筒部分
４１…移動筒部分
４２…雄螺子部
４３…球体
４４…カートリッジ容器
４５…キャップ
４６…インナーキャップ
４７…段部
４８…係合段部
５０…回転機構
６０…通気孔
７０…閉止蓋
１００…押し出し機構
１０１…筆容器
１０２…刷毛
１０３…操作部
１０４…圧力弁
１０５…棒ネジ
【図１】
0003143336.tif 000003
【図２】
0003143336.tif 000004
【図３】
0003143336.tif 000005
【図４】
0003143336.tif 000006
【図５】
0003143336.tif 000007
【図６】
0003143336.tif 000008
【図７】
0003143336.tif 000009
【図８】
0003143336.tif 000010
【図９】
0003143336.tif 000011
【図１０】
0003143336.tif 000012
【図１１】
0003143336.tif 000013